【手続補正書】
【提出日】平成30年6月12日(2018.6.12)
【手続補正１】
【補正対象書類名】明細書
【補正対象項目名】０１０５
【補正方法】変更
【補正の内容】
【０１０５】
これまで、本発明について、いくつかの個々の実施形態を参照して説明してきた。上記の詳細な説明は、あくまで理解を助けるために示したものに過ぎない。詳細な説明から不要な限定はないと理解又は解釈すべきである。方向についての言及並びに右、左、前、後ろ、上、及び下についての言及は全て、単なる例示であって、特許請求に係る発明を限定するものではない。本発明の範囲から逸脱することなく、記載された実施形態において多くの変更を行うことができることが当業者には明白であろう。したがって、本発明の範囲は、本明細書に記載された詳細及び構造に限定されるべきではなく、特許請求の範囲の文言による記載、及びそれらの構造の等価物によって限定される。
以下、本発明の態様について説明する。
〔態様１〕
筐体への入り口ポート上に配設され、かつハウジングを具備する送受信機であって、前記ハウジングが前記入り口に装着可能であり、前記送受信機が、前記筐体の外部のネットワークと通信するように構成される、送受信機と、
前記筐体内のリアルタイムの状況に関するデータを提供する、前記筐体内に配設された、監視装置と、
前記監視装置／センサからのデータを処理し、処理済みデータ信号を生成して、前記処理済みデータ信号を前記送受信機に通信する、センサ解析部と、
を具備する、データ通信システム。
〔態様２〕
前記監視装置は、センサを含む、態様１に記載のデータ通信システム。
〔態様３〕
前記センサが、電力、電圧、電流、温度、可燃物質又は燃焼副産物、機械的歪み、機械的移動、湿度、土壌状態、圧力、危険雰囲気、液体フロー、漏れ、部品寿命又は耐用年限、人感、物理的状態、光レベル、及び振動のうち少なくとも１つを検出する、態様２に記載のデータ通信システム。
〔態様４〕
前記センサが、感知型ケーブル付属品に組み込まれ、電力ケーブルの状況を監視するように構成されている、態様２に記載のデータ通信システム。
〔態様５〕
前記送受信機が通信ゲートウェイ部を具備する、態様１に記載のデータ通信システム。
〔態様６〕
前記センサ解析部がデジタル信号プロセッサを具備する、態様１に記載のデータ通信システム。
〔態様７〕
前記センサ解析部が無線ネットワーク通信チップを具備する、態様１に記載のデータ通信システム。
〔態様８〕
前記送受信部が、耐久性を有する地上アンテナ及び無線機を具備する、態様１に記載のデータ通信システム。
〔態様９〕
前記送受信機が、集約された情報を、地上にある上流の別の集約ノード又はクラウドサーバに送信するように構成されている、態様１に記載のデータ通信システム。
〔態様１０〕
前記集約されたデータは、定期的な状態通知及び非同期警報通知のうち１つ又は２つ以上を含む、態様９に記載のデータ通信システム。
〔態様１１〕
前記送受信機が、集約ノード又はクラウドによって前記送受信機に送信されたメッセージに対して応答するように構成される、態様１に記載のデータ通信システム。
〔態様１２〕
前記筐体が地中筐体を備え、前記入り口ポートがマンホールの蓋と、前記マンホールの蓋を受容するリング部分と、を備える、態様１に記載のデータ通信システム。
〔態様１３〕
前記送受信機が、前記マンホールの蓋に固定され、かつ前記入り口の蓋内に形成された穴を貫通して延在する前記送受信機ハウジングの一部分にも固定されている、態様１２に記載のデータ通信システム。
〔態様１４〕
前記入り口の蓋内に形成された穴を貫通して延在する前記送受信機ハウジング部分が、前記入り口の蓋の頂面と実質的に同一平面上にある、態様１３に記載のデータ通信システム。
〔態様１５〕
前記送受信機が前記入り口ポートのリング部分に固定されている、態様１２に記載のデータ通信システム。
〔態様１６〕
前記筐体内に位置する少なくとも１つの電力線に連結された電力採取装置を更に具備する、態様１に記載のデータ通信システム。
〔態様１７〕
前記電力採取装置が、前記センサ解析部に連結され、かつ前記センサ解析部に電力を供給する、態様１６に記載のデータ通信システム。
〔態様１８〕
前記センサ解析部が、１つ又は２つ以上の環境センサに接続するように構成される複数のインターフェースポートを含む、態様１に記載のデータ通信システム。
〔態様１９〕
前記送受信機が誘導結合を介して給電される、態様１に記載のデータ通信システム。〔態様２０〕
地中筐体への入り口ポート上に配設された送受信機であって、前記送受信機が、前記入り口ポートに装着可能なハウジングを具備し、前記地中筐体の外部のネットワークと通信するように構成されている、送受信機と、
前記地中筐体内に位置する電力線に装着された感知型ケーブル付属品であって、前記地中筐体内部のリアルタイム状況に関連するデータを測定するセンサと、前記測定されたデータを処理する信号処理チップと、処理されたデータを前記送受信機に通信する通信チップと、を具備する、感知型ケーブル付属品と、
を備える、データ通信システム。
〔態様２１〕
前記感知型ケーブル付属品が、前記信号処理チップ及び通信チップに対し電力を供給するために前記電力線に連結した電力採取装置を更に備える、態様２０に記載のデータ通信システム。
〔態様２２〕
ユーティリティ機器が収容される筐体の一部分の上に配設され、前記筐体に装着可能なハウジングを具備する送受信機であって、前記送受信機が前記筐体の外部のネットワークと通信するように構成されている、送受信機と、
前記筐体内に配設され、前記筐体内のリアルタイム状況に関するデータを提供する、監視装置と、
前記監視装置からのデータを処理し、処理済みデータ信号を生成して、前記処理済みデータ信号を前記送受信機に通信する、センサ解析部と、
を具備する、データ通信システム。
〔態様２３〕
前記筐体が地中ボールトを備える、態様２１に記載のデータ通信システム。
〔態様２４〕
前記筐体が、地面レベル筐体又は地上筐体を備える、態様２１に記載のデータ通信システム。
【手続補正２】
【補正対象書類名】特許請求の範囲
【補正対象項目名】全文
【補正方法】変更
【補正の内容】
【特許請求の範囲】
【請求項１】
筐体への入り口ポート上に配設され、かつハウジングを具備する送受信機であって、前記ハウジングが前記入り口に装着可能であり、前記送受信機が、前記筐体の外部のネットワークと通信するように構成される、送受信機と、
前記筐体内のリアルタイムの状況に関するデータを提供する、前記筐体内に配設された、監視装置と、
前記監視装置／センサからのデータを処理し、処理済みデータ信号を生成して、前記処理済みデータ信号を前記送受信機に通信する、センサ解析部と、
を具備する、データ通信システム。
【請求項２】
地中筐体への入り口ポート上に配設された送受信機であって、前記送受信機が、前記入り口ポートに装着可能なハウジングを具備し、前記地中筐体の外部のネットワークと通信するように構成されている、送受信機と、
前記地中筐体内に位置する電力線に装着された感知型ケーブル付属品であって、前記地中筐体内部のリアルタイム状況に関連するデータを測定するセンサと、前記測定されたデータを処理する信号処理チップと、処理されたデータを前記送受信機に通信する通信チップと、を具備する、感知型ケーブル付属品と、
を備える、データ通信システム。
【請求項３】
ユーティリティ機器が収容される筐体の一部分の上に配設され、前記筐体に装着可能なハウジングを具備する送受信機であって、前記送受信機が前記筐体の外部のネットワークと通信するように構成されている、送受信機と、
前記筐体内に配設され、前記筐体内のリアルタイム状況に関するデータを提供する、監視装置と、
前記監視装置からのデータを処理し、処理済みデータ信号を生成して、前記処理済みデータ信号を前記送受信機に通信する、センサ解析部と、
を具備する、データ通信システム。